(57)【要約】      （修正有）【課題】陶芸用ロクロ作業における陶芸用ロクロのターンテーブルあるいはこれにセットして使用する陶芸用カメ板の間に挿入して、カメ板の上の創作過程にある創作物の模様や図案の位置決めや描画、線彫りなどをする時に使用する高さ調整可能な陶芸用カメ板の提供。【解決手段】陶芸用ロクロのターンテーブル（１０）に嵌合させて使用するカメ板（１２）上での創作作業が終了した段階で、陶芸ロクロターンテーブル（１０）とカメ板（１２）の間に、高さ調節可能な陶芸用カメ板を挿入して、創作物を作業者の目の位置近くに嵩上げした状態で、創作物の模様や図案の位置決めや描画、線彫りなどの作業を行うようにする。【選択図】図１
0003116637.tif 000002
【実用新案登録請求の範囲】
【請求項１】
上部カメ板と下部カメ板が略平行で、かつ、上下方向に相対移動することが可能で、所要の高さに固定することができ、さらに、下部カメ板を陶芸用ロクロのターンテーブルに嵌合、上部カメ板は創作物が載った陶芸用カメ板を嵌合させて、上部カメ板と下部カメ板の回転中心軸と陶芸用ロクロのターンテーブルの回転中心軸を一致させて、使用することを特徴とする高さ調整可能な陶芸用カメ板。
【請求項２】
前記高さ調整可能な陶芸用カメ板は、直径が異なるパイプを挿入した状態を１本の支柱として、この支柱を１又は複数本で、その端部が上部カメ板の下面と、下部カメ板の上面で、それぞれ相対する外周直近の内側に配置、固定し、さらに、上部カメ板支柱と下部カメ板支柱は、等間隔で開けた高さ調整穴にピンを挿入して、所要の高さに固定することができる請求項１に記載の高さ調整可能な陶芸用カメ板。
【請求項３】
前記高さ調整可能な陶芸用カメ板の支柱は、上部カメ板、あるいは、下部カメ板に固定された端部の他端部で、直径の大きい方の端部の近くで、かつ、隣接して位置する支柱相互、さらに、対角に位置する支柱相互を連結、固定する請求項１、又は、請求項２に記載の高さ調整可能な陶芸用カメ板。
【請求項４】
前記高さ調整可能な陶芸用カメ板は、上部カメ板と下部カメ板の中間に設ける、請求項１ないし請求項３に記載する高さ調整を可能にするほか、ラックユニオンの組合せによる相対移動、ネジの回転による相対移動、ネジの回転と合わせて上下するパンタグラフ機構による相対移動、油圧ジャッキによる相対移動から選ばれる、少なくとも１種により調整を行うことは可能であるが、回転中心軸の振れ止めと、所要の高さでの、上部カメ板と下部カメ板の平高度を維持するために、請求項１ないし請求項３に記載の高さ調整可能な陶芸用カメ板。
【考案の詳細な説明】
【技術分野】
【０００１】  本考案は、陶芸ロクロ作業における陶芸ロクロのターンテーブルあるいはこれにセットして使用する陶芸用カメ板の間に挿入して、カメ板の上の創作過程にある創作物の模様や図案の位置決め、描画、線彫りなどをする時に使用するもので、上部カメ板と下部カメ板との間に、上部カメ板と下部カメ板の略平行を維持し、さらに、陶芸ロクロのターンテーブルの回転中心軸と一致して、回転することができる機能を備えた高さ調整可能な陶芸用カメ板に関する。
【背景技術】
【０００２】  従来の陶芸における、陶芸用カメ板（１２）の上の創作過程にある創作物の模様や図案の位置決め、描画、線彫りなどの作業をする時は、陶芸用カメ板（１２）の創作物よりも作業者の目の位置が高くなり、作業者は前かがみの姿勢にならざるを得ず、作業者の腰や肩など肉体的な負担がかかり、目の疲労も多く、健康上も芳しくなく、作業の継続は苦痛であり、作業効率を大きく低下させていた。【０００３】  上部カメ板支柱（３）と下部カメ板支柱（４）は異なる直径のパイプを挿入し、伸縮して、高さを固定することを可能にできようにするもので、上部カメ板支柱（３）と下部カメ板支柱（４）はそれぞれに等間隔の高さ調整穴（５）をあけ、固定ピン（５）が挿入できるようにする。【０００４】  上部カメ板（１）の下面の外周の直近の内側に沿って、均等な間隔で、かつ、垂直に上部カメ板支柱（３）を固定し、さらに、下部カメ板（２）の上面の外周の直近の内側に沿って、均等な間隔で、かつ、垂直で、さらに、上部カメ板支柱（３）に相対する、下部カメ板支柱（４）を挿入することができ、上部カメ板（１）と下部カメ板（２）の高さを円滑に相対移動できるようにする。【０００５】  上部カメ板支柱（３）と下部カメ板支柱（４）の異なる直径のパイプのうち、直径の大きい方の端部の直近において、隣接するパイプを接続する支柱振れ止め（６）、ならびに、対角に位置するパイプを接続する支柱対角振れ止め（７）を取り付ける。
【考案の開示】
【考案が解決しようとする課題】
【０００６】  従来、陶芸ロクロ作業で創作を行い、半乾燥状態で、陶芸用カメ板（１２）上の創作物の模様や図案の位置決め、描画、線彫りなどをする時は、陶芸用ロクロにセットした陶芸用カメ板（１２）よりも、作業者の目の位置が高く、作業者は前かがみの姿勢にならざるを得ず、作業者の腰や肩に肉体的な負担がかかり、健康上も芳しくなく、作業の継続は苦痛であり、作業効率を大きく低下させていた。
【課題を解決するための手段】
【０００７】  本考案は、創作物が載った陶芸用カメ板（１２）が、陶芸用ロクロのターンテーブル（１０）に嵌合した状態で、創作をした後、創作物が載った陶芸用カメ板（１２）と、陶芸用ロクロのターンテーブル（１０）の間に、高さ調整可能なカメ板を挿入することにより、創作物に触れず，かつ、傷をつけることなく、創作物の作業位置を作業者の目の高さに近づけて、前述の課題を解決しようとするものである。
【考案の効果】
【０００８】  本考案は、陶芸用ロクロのターンテーブル（１０）に嵌合して使用する陶芸用カメ板（１２）の上で、創作過程にある半乾燥状態の創作物をかさ上げすることにより、陶芸用ロクロ上の創作物の作業位置が作業者の目の位置に近くなり、作業者が前かがみにならず、作業者の腰や肩への肉体的な負担ならびに作業継続の苦痛を軽減することが、作業効率を大きく改善することが可能となる。
【考案を実施するための最良の形態】
【実施例】
【０００９】    以下、図面に従って一実施例を説明する。一般的には、陶芸用ロクロのターンテーブル（１０）の上に陶芸用カメ板（１２）を嵌合させて、この上に、陶芸粘土をおいて、陶芸用ロクロ（１１）を回転させて、創作を行う。【００１０】  創作を終わったのち、半乾燥の状態で、陶芸用カメ板（１２）上の創作物の模様や図案の位置決め、描画、線彫りなどを行うが、一般的には、陶芸用カメ板（１２）上の創作物の下部は、作業者が腰掛けた状態での膝くらいの位置になる。【００１１】  本考案では、陶芸用カメ板（１２）上に創作過程にある半乾燥状態の創作物が載る状態で、陶芸用カメ板（１２）を一旦はずし、あらかじめ、上部カメ板（１）と下部カメ板（２）の高さを調整、固定しておいた、高さ調整可能なカメ板を陶芸用ロクロのターンテーブル（１２）に嵌合させる。【００１２】  次に、上部カメ板（１）に、半乾燥状態の創作物が載った陶芸用カメ板（１２）を嵌合させる。【００１３】  創作物が載った陶芸用カメ板（１２）の回転中心軸が、振れることなく、円滑に回転することを確認する。
【図面の簡単な説明】
【００１４】
【図１】高さ調整可能なカメ板を使用する時の斜視図である。
【図２】高さ調整可能なカメ板を伸ばした状態の側面図である。
【図３】高さ調整可能なカメ板を縮めた状態の側面図である。
【図４】高さ調整可能なカメ板の平面図である。
【符号の説明】
【００１５】  １    上部カメ板
２    下部カメ板
３    上部カメ板支柱
４    下部カメ板支柱
５    高さ調整穴とピン
６    支柱振れ止め
７    支柱対角振れ止め
８    下部カメ板嵌合ガイド
９    カメ板嵌合ガイド
１０  陶芸用ロクロのターンテーブル
１１  陶芸用ロクロ
１２  陶芸用カメ板
ｃ    陶芸用ロクロの回転中心軸
【図１】
0003116637.tif 000003
【図２】
0003116637.tif 000004
【図３】
0003116637.tif 000005
【図４】
0003116637.tif 000006